(57)【要約】【課題】オフィス家具などのキャスターへ容易に取り付けられるキャスターストッパーを提供する。【解決手段】キャスターを囲ってキャスターの暴走を防ぐ蒲鉾型のキャスターストッパーであって、前記蒲鉾型の半円を外周としその内部に前記半円の円周方向に斜面を合わせて形成されたキャスター車輪の乗り上げ面と、前記キャスターの車輪の移動方向を前記蒲鉾型の前記円周方向に合わせるキャスター回転防止リブを備える。【選択図】図１
2020125070.tif 000002
【特許請求の範囲】
【請求項１】
キャスターを囲ってキャスターの暴走を防ぐ蒲鉾型のキャスターストッパーであって、
前記蒲鉾型の半円を外周としその内部に前記半円の円周方向に斜面を合わせて形成されたキャスター車輪の乗り上げ面と、
前記キャスターの車輪の移動方向を前記蒲鉾型の前記円周方向に合わせるキャスター回転防止リブを備えることを特徴とするキャスターストッパー。
【請求項２】
前記外周が摩擦を増やす態様にされることを特徴とする請求項１に記載のキャスターストッパー。
【請求項３】
前記キャスターストッパーが少なくとも２つの部分で分解可能に構成されることを特徴とする請求項１又は請求項２に記載のキャスターストッパー。
【請求項４】
複数の部品の接合方法に組み木構造を用いることを特徴とする請求項３に記載のキャスターストッパー。
【発明の詳細な説明】
【技術分野】
【０００１】
本発明は、地震等の振動によりキャスターを備えるオフィス家具などが地震等の振動で床面を暴走することを防止するためのキャスターストッパーに関する。
【背景技術】
【０００２】
従来、キャスターを備えるオフィス家具などの移動や転倒を防止するために、キャスターを止めるキャスターストッパーが各種提案されている。
【０００３】
例えば特許文献１には、キャスターの車軸を偏心位置において回転を阻止する耐震用キャスターが開示されている。また、特許文献２にはボールを間に挟んだ２重リング又はキャスターの外側に凹凸を取り付けて暴走を防ぐ案が公開されている。
【先行技術文献】
【特許文献】
【０００４】
【特許文献１】特開平１１−１１５４０３号公報
【特許文献２】特開平１０−３５２０６号公報
【発明の概要】
【発明が解決しようとする課題】
【０００５】
しかしながら、特許文献１に開示されるキャスターは回転軸を中心からずらせるために特別の軸を用意する必要があり汎用性に乏しい。
【０００６】
また、特許文献２のキャスターストッパーは、ボールを間に挟んだ２重リングまたは外周に凹凸を設けるキャスターなので構造が複雑である。
【課題を解決するための手段】
【０００７】
この発明の目的は、上述した事情に鑑みなされたもので、オフィス家具などのキャスターへ容易に取り付けられるキャスターストッパーを提供することである。
【０００８】
上述した課題を解決し、目的を達成するため、この発明に係わるキャスターストッパーは、請求項１の記載によれば、キャスターを囲ってキャスターの暴走を防ぐ蒲鉾型のキャスターストッパーであって、前記蒲鉾型の半円を外周としその内部に前記半円の円周方向に斜面を合わせて形成されたキャスター車輪の乗り上げ面と、前記キャスターの車輪の移動方向を前記蒲鉾型の前記円周方向に合わせるキャスター回転防止リブを備えることを特徴とするキャスターストッパーである。
【０００９】
キャスターを囲ってキャスターの暴走を防ぐ蒲鉾型のキャスターストッパーであって、前記蒲鉾型の半円を外周としその内部に前記半円の円周方向に斜面を合わせて形成されたキャスター車輪の乗り上げ面と、前記キャスターの車輪の移動方向を前記蒲鉾型の前記円周方向に合わせるキャスター回転防止リブを備えるので、地震時にキャスターが移動するとキャスターストッパーの内部に形成された乗り上げ面に車輪が乗り、半円形のキャスターストッパーが回動してキャスターストッパーの上縁がキャスター金具などに当たり回動が止まるため車輪の回転が阻止される。
【００１０】
本発明は請求項２の記載によれば、前記外周が摩擦を増やす態様にされることを特徴とする請求項１に記載のキャスターストッパーである。
【００１１】
キャスターストッパーの外周が摩擦を増やす態様にされるのでキャスターストッパーそのものの滑り出しを防止する。
【００１２】
本発明は請求項３の記載によれば、前記キャスターストッパーが少なくとも２つの部分で分解可能に構成されることを特徴とする請求項１又は請求項２に記載のキャスターストッパーである。
【００１３】
キャスターストッパーが少なくとも２つの部分で分解可能に構成されるので現場でキャスターを中に入れてキャスターストッパーを組み立てることができるのでキャスターを持ち上げるなどの工事が不要になる。
【００１４】
本発明は請求項４の記載によれば、複数の部分の接合方法に組み木構造を用いることを特徴とする請求項３に記載のキャスターストッパーである。
【発明の効果】
【００１５】
この発明によれば、結合部分を用いないでキャスターへ容易に取り付けられるキャスターストッパーを提供することができる。
【図面の簡単な説明】
【００１６】
【図１】本発明の実施例を示す（Ａ）上方からの斜視図、（Ｂ）下方からの斜視図である。
【図２】第１部分のキャスター回転防止リブの説明図である。
【図３】第２部分のキャスター回転防止リブの説明図である。
【図４】（Ａ）車輪の移動方向から見た断面図、（Ｂ）車輪が停止位置にある状態、（Ｃ）車輪が左へ移動した状態、（Ｄ）車輪が右へ移動した状態の説明図である。
【図５】本発明のキャスターストッパーの実装例を示す斜視図
【発明を実施するための形態】
【実施例】
【００１７】
以下に図面を用いて本発明を説明する。図１（Ａ）は２つの部分から構成される本発明のキャスターストッパー１０を示す上から見た斜視図である。第１の部分１と第２の部分２から構成される。２つの部分の間にキャスターを囲って挟むようにして現場で組み立てる。図１（Ｂ）は図１（Ａ）は２つの部分から構成される本発明のキャスターストッパー１０を示す下から見た斜視図である。蒲鉾型の半円の外周は滑り止め１３，２３が貼付されている。
【００１８】
部分１にはボス１１が形成され部分２にはボス穴が設けられ接合方法が組木構造になっているので部分１と部分２を突き合わせて容易にキャスターストッパーを組み立てることができる。
【００１９】
キャスター３０はキャスター金具３１に車輪を回転可能に接続されている。この回転をキャスターストッパー１５，２５のキャスター回転防止リブ１５，２５が阻止してキャスター車輪の移動方向が蒲鉾の円周方向に合わせられる。
【００２０】
そうするとキャスター車輪が回転すると部分１の内部に設けられた斜面が外周に沿った乗り上げ面１６に車輪が乗ることになる。車輪が乗るとキャスターストッパー全体がキャスターストッパーの蒲鉾型の外周に沿って回動する。
【００２１】
図２は第１部分の図１におけるＡ−Ａ’断面図である。回転防止リブ１５によりキャスターの水平面内の回転が制御されてキャスターの車輪の移動方向が図２の乗り上げ面１６に向かうことになる。また、図３は第２部分のＢ−Ｂ’断面図で回転防止リブ２５によりキャスターの水平面内の回転が制御される。
【００２２】
図４を用いてキャスターストッパーの動作を説明する。（Ａ）キャスター車輪の移動方向から見た断面図、（Ｂ）キャスター車輪が停止位置にある状態、（Ｃ）キャスター車輪が左へ移動した状態、（Ｄ）キャスター車輪が右へ移動した状態の説明図である。図４（Ａ）において、キャスター回転防止リブ１５，２５によりキャスターの水平面内の回転がキャスターストッパーの外周の円周方向に合わせられる。図４（Ｂ）は定常状態のキャスターの位置である。
【００２３】
図４（Ｃ）は車輪が左へ移動した場合で、左の乗り上げ面に車輪が掛かる。そうするとキャスターストッパーが時計方向へ回動してキャスターストッパーの右の上面がキャスター金具に当たりそれ以上キャスターストッパーの回動ができなくなるので車輪の動きを阻止することになる。
【００２４】
図４（Ｄ）は車輪が右へ移動した場合で、右の乗り上げ面に車輪が掛かる。そうするとキャスターストッパーが反時計方向へ回動してキャスターストッパーの左の上面がキャスター金具に当たりそれ以上キャスターストッパーの回動ができなくなるので車輪の動きを阻止することになる。
【００２５】
動きを阻止されるとキャスターストッパーそのものを移動させる力が働くがキャスターストッパーの外周は摩擦を増やす態様に形成され、例えばゴムなどを貼り付けてあるのでキャスターの移動が防止される。
【００２６】
図５は本発明に掛かるキャスターストッパーをオフィズ家具などのキャスターへ実施する様子を示す。本発明に掛かるキャスターストッパーは分解可能なので第１部分１と第２部分２をキャスターを挟むようにして組み立ててキャスターストッパーにする。
【００２７】
以上のように、本発明により、現場でキャスターへ容易に取り付け可能なキャスターストッパーを提供することができ地震時にオフィス家具などの暴走を防ぐことができる。
【符号の説明】
【００２８】
１  第１部分
２  第２部分
１０  キャスターストッパー
１１  ボス
１５  回転防止リブ
１３  滑り止め
２２  ボス穴
２３  滑り止め
２５  回転防止リブ
３０  キャスター
３１  キャスター金具
３２  キャスター車輪
５０  什器、オフィス家具
６０  床面
【図１】
2020125070.tif 000003
【図２】
2020125070.tif 000004
【図３】
2020125070.tif 000005
【図４】
2020125070.tif 000006
【図５】
2020125070.tif 000007